(57)【要約】【課題】より正確且つ容易な融着接続作業が可能な、低損失で信頼性の高い光ファイバの融着接続機を提供する。【解決手段】Ｘ軸方向画像表示窓Ｗｘ、Ｙ軸方向画像表示窓Ｗｙにそれぞれ表示されるＸ軸方向画像、Ｙ軸方向画像の各表示倍率や、Ｘ軸方向画像表示窓Ｗｘ、Ｙ軸方向画像表示窓Ｗｙの各窓の大きさを自由に設定し、表示倍率変更した倍率変更後画像を倍率変更後画像表示窓Ｗｍに表示し、抽出した特定の画像領域を抽出画像表示窓Ｗｓに表示する。【選択図】図１
2006047817.tif 000002
【特許請求の範囲】
【請求項１】
光ファイバの融着接続を行う融着接続機であって、
融着接続を行う光ファイバの当該融着接続個所を一又は複数方向から撮像する撮像手段と、
前記撮像手段により得られた一又は複数の方向に係る撮像画像を表示する表示手段と、
前記表示手段に表示する一又は複数の撮像画像を所望の大きさ及び／又は表示位置で少なくとも一の画面内に表示するよう表示制御する表示制御手段と
を備えたことを特徴とする融着接続機。
【請求項２】
前記表示手段により表示された撮像画像から、所望の領域内の画像を抽出する画像抽出手段を更に備え、
前記表示手段は、前記抽出された抽出画像を表示し、
前記表示制御手段は、前記表示手段に表示する抽出画像を、該表示手段により表示中の前記撮像画像に並べて及び／又は重ねて表示するよう表示制御することを特徴とする請求項１に記載の融着接続機。
【請求項３】
前記表示制御手段は、前記表示手段に表示する抽出画像を、所望の大きさ及び／又は表示位置で表示するよう表示制御することを特徴とする請求項２に記載の融着接続機。
【請求項４】
前記画像抽出手段は、表示倍率の変更指示が入力されると、前記撮像画像から、所望の領域或いは予め設定された所定個所が含まれる領域内の画像を抽出し、
前記表示制御手段は、前記抽出画像を前記表示倍率の変更指示に基づいて拡大もしくは縮小して表示倍率を変更し、当該倍率変更後の画像を前記表示手段に表示するよう表示制御することを特徴とする請求項１〜３のうち何れか一項に記載の融着接続機。
【請求項５】
前記表示制御手段は、前記倍率変更後の画像を、前記表示手段により表示中の前記撮像画像に並べて及び／又は重ねて表示するよう表示制御することを特徴とする請求項４に記載の融着接続機。
【請求項６】
前記表示制御部は、前記倍率変更後の画像を、所望の大きさ及び／又は表示位置で表示するよう表示制御することを特徴とする請求項５に記載の融着接続機。
【請求項７】
前記表示制御部は、前記指定倍率抽出画像の表示中に、前記表示手段により表示中の前記撮像画像のうち、前記抽出された画像の対応個所を表示するよう表示制御することを特徴とする請求項４〜６のうち何れか一項に記載の融着接続機。
【請求項８】
前記指定倍率は、前記融着接続を行う光ファイバのファイバ長手方向に垂直な方向に対する拡大もしくは縮小であることを特徴とする請求項４〜７のうち何れか一項に記載の融着接続機。
【請求項９】
前記表示手段に表示された一又は複数の光ファイバの端部に、前記表示手段に表示される目印を所望位置に移動することができ、所定キーを押す及び／又は表示手段の画面を触れると、所望の大きさ及び／又は表示位置で拡大もしくは縮小して前記一又は複数の光ファイバの端部を表示できることを特徴とする請求項１〜８のうち何れか一項に記載の融着接続機。
【請求項１０】
前記撮像手段により得られた一又は複数の方向に係る撮像画像を表示する表示手段と、
前記表示手段に表示する一又は複数の撮像画像を任意の角度に回転して表示するよう表示制御する表示制御手段と
を備えたことを特徴とする請求項１〜９のうち何れか一項に記載の融着接続機。
【請求項１１】
前記表示手段に表示する一又は複数の撮像画像を記憶する記憶手段と、
前記記憶手段から一又は複数の撮像画像を記憶又は読み出しすることができる
ことを特徴とする請求項１〜１０のうち何れか一項に記載の融着接続機。
【発明の詳細な説明】
【技術分野】
【０００１】
本発明は、光ファイバの融着接続機に関する。
【背景技術】
【０００２】
従来では、例えば特許文献１に開示されているように、同一心数（光ファイバの本数）を有する二本の光ファイバを融着接続する融着接続機は、融着接続を行う光ファイバのファイバ長手方向に垂直で（該ファイバ長手方向をＺ軸という）、且つ互いに直交する（或いは交差する）２軸（Ｘ軸、Ｙ軸という）の各方向から、融着接続工程時における当該光ファイバの接続個所の画像を撮像し、この撮像したＸ軸方向、Ｙ軸方向の各画像をＬＣＤ（Liquid Crystal Display）等の表示装置に表示する（図２（ａ）、図２（ｂ）を参照）。操作者は、当該表示装置に表示されたＸ軸方向、Ｙ軸方向の各撮像画像を参照しながら、光ファイバの融着接続作業を行う。
また、例えば特許文献２に開示されているように、画像処理によって光ファイバの位置を検出し、その位置に応じて光ファイバに画像処理結果を文字等により重畳表示する光ファイバ接続状態の表示方法が記されている。
【特許文献１】特開平１０−２８２３５８号公報
【特許文献２】特開平０２−２５１８０５号公報
【発明の開示】
【発明が解決しようとする課題】
【０００３】
しかし、上記従来の技術には次のような問題点がある。
例えば、図７に示す従来の表示例では、同一倍率に基づくＸ軸方向画像、Ｙ軸方向画像が、Ｘ軸方向画像表示窓Ｗｘ１、Ｙ軸方向画像表示窓Ｗｙ１に各々表示される。そして、このＸ軸方向画像表示窓Ｗｘ１、Ｙ軸方向画像表示窓Ｗｙ１は、全表示画面Ｗ１内に同じ大きさで並列に（或いは図示しないが、直列に）表示される（或いは図示しないが、Ｘ軸方向画像表示窓Ｗｘ１若しくはＹ軸方向画像表示窓Ｗｙ１の何れか一方のみが全表示画面Ｗ１内に表示される）。すなわち、従来では、表示可能な表示窓は、Ｘ軸方向画像表示窓Ｗｘ１、Ｙ軸方向画像表示窓Ｗｙのみであり、Ｘ軸方向画像表示窓Ｗｘ１やＹ軸方向画像表示窓Ｗｙ１にそれぞれ表示されるＸ軸方向画像、Ｙ軸方向画像の各倍率や、Ｘ軸方向画像表示窓Ｗｘ１、Ｙ軸方向画像表示窓Ｗｙ１の各表示窓の大きさは一定で不変である。
このため、より正確且つ容易な融着接続作業の実現化を図るため、すなわち、光ファイバの融着接続個所に対する詳細な観察が容易に行えるようにするため、Ｘ軸方向画像やＹ軸方向画像の倍率や、Ｘ軸方向画像表示窓Ｗｘ１、Ｙ軸方向画像表示窓Ｗｙ１の各窓の大きさ等を自在に変更したり、また、特定の画像領域のみを抽出して表示することができる融着接続機の実現が望まれている。
本発明の課題は、より正確且つ容易な融着接続作業が可能な、低損失で信頼性の高い光ファイバの融着接続機を提供することである。
【課題を解決するための手段】
【０００４】
上記課題を解決するため、この発明の融着接続機の第１の態様は、
光ファイバの融着接続を行う融着接続機（例えば、融着接続機１００）において、
融着接続を行う光ファイバの当該融着接続個所を一又は複数方向から撮像する撮像手段（例えば、撮像部１４）と、
前記撮像手段により得られた一又は複数の方向に係る撮像画像を表示する表示手段（例えば、モニタ１５）と、
前記表示手段に表示する一又は複数の撮像画像を、所望の大きさ及び／又は表示位置で少なくとも一の画面内に表示するよう表示制御する表示制御手段（例えば、画像処理部１ａ）と
を備えたことを特徴とする融着接続機である。
【０００５】
この発明の融着接続機の第２の態様は、
前記表示手段により表示された撮像画像から、所望の領域内の画像を抽出する画像抽出手段（例えば、画像処理部１ａ）を更に備え、
前記表示手段は、前記抽出された抽出画像を表示し、
前記表示制御手段は、前記表示手段に表示する抽出画像を、該表示手段により表示中の前記撮像画像に並べて及び／又は重ねて表示するよう表示制御することを特徴とする融着接続機である。
【０００６】
この発明の融着接続機の第３の態様は、
前記表示制御手段は、前記表示手段に表示する抽出画像を、所望の大きさ及び／又は表示位置で表示するよう表示制御することを特徴とする融着接続機である。
【０００７】
この発明の融着接続機の第４の態様は、
前記画像抽出手段は、表示倍率の変更指示が入力されると、前記撮像画像から、所望の領域或いは予め設定された所定個所が含まれる領域内の画像を抽出し、
前記表示制御手段は、前記抽出画像を前記表示倍率の変更指示に基づいて拡大もしくは縮小して表示倍率を変更し、当該倍率変更後の画像を前記表示手段に表示するよう表示制御することを特徴とする融着接続機である。
【０００８】
この発明の融着接続機の第５の態様は、
前記表示制御手段は、前記倍率変更後の画像を、前記表示手段により表示中の前記撮像画像に並べて及び／又は重ねて表示するよう表示制御することを特徴とする融着接続機である。
【０００９】
この発明の融着接続機の第６の態様は、
前記表示制御部は、前記倍率変更後の画像を、所望の大きさ及び／又は表示位置で表示するよう表示制御することを特徴とする融着接続機である。
【００１０】
この発明の融着接続機の第７の態様は、
前記表示制御部は、前記指定倍率抽出画像の表示中に、前記表示手段により表示中の前記撮像画像のうち、前記抽出された画像の対応個所を表示するよう表示制御することを特徴とする融着接続機である。
【００１１】
この発明の融着接続機の第８の態様は、、
前記指定倍率は、前記融着接続を行う光ファイバのファイバ長手方向に垂直な方向に対する拡大もしくは縮小であることを特徴とする融着接続機である。
【００１２】
この発明の融着接続機の第９の態様は、
前記表示手段に表示された一又は複数の光ファイバの端部に、前記表示手段に表示される目印を所望位置に移動することができ、所定キーを押す及び／又は表示手段の画面を触れると、所望の大きさ及び／又は表示位置で拡大もしくは縮小して前記一又は複数の光ファイバの端部を表示できることを特徴とする融着接続機である。
【００１３】
この発明の融着接続機の第１０の態様は、
前記撮像手段により得られた一又は複数の方向に係る撮像画像を表示する表示手段と、前記表示手段に表示する一又は複数の撮像画像を任意の角度に回転して表示するよう表示制御する表示制御手段とを備えたることを特徴とする融着接続機である。
【００１４】
この発明の融着接続機の第１１の態様は、
前記表示手段に表示する一又は複数の撮像画像を記憶する記憶手段と、
前記記憶手段から一又は複数の撮像画像を記憶又は読み出しすることができることを特徴とする融着接続機である。
【発明の効果】
【００１５】
本発明によれば、Ｘ軸方向画像表示窓、Ｙ軸方向画像表示窓にそれぞれ表示されるＸ軸方向画像、Ｙ軸方向画像の各表示倍率や、Ｘ軸方向画像表示窓、Ｙ軸方向画像表示窓の各窓の大きさが自由に設定可能となる。また、表示倍率を自由に変更して、当該倍率変更後画像を倍率変更後画像表示窓に表示できる。また、特定の画像領域のみを抽出して抽出画像表示窓に表示できる。
このため、光ファイバの融着接続個所に対する詳細な観察が容易に行えるので、より正確且つ容易な融着接続作業が可能な、低損失で信頼性の高い光ファイバの融着接続機が提供できる。
【発明を実施するための最良の形態】
【００１６】
以下、図面を参照して本実施の形態について説明する。
図１に、融着接続機１００が有する制御系の概略構成を示す。
図１に示すように、融着接続機１００は、制御部１、画像記憶部１８、放電ユニット１１、駆動機構１２、照明部１３、撮像部１４、モニタ１５、電源ユニット１６、操作ユニット１７等を備える。
【００１７】
放電ユニット１１は、融着接続を行う２本の光ファイバＢ１、Ｂ２を載置するための整列台（図示略）に向けた一対の電極１１ａ、１１ｂを有し、制御部１からの指示に応じてその電極１１ａ、１１ｂが放電して当該整列台に置載された光ファイバＢ１、Ｂ２（すなわち、光ファイバＢ１、Ｂ２の光ファイバ端部Ｆ）の融着接続を行う。なお、電極は二対以上であってもよい。
【００１８】
駆動機構１２は、融着接続を行う２本の光ファイバＢ１、Ｂ２を載置するための上記整列台を移動させ、該２本の光ファイバＢ１、Ｂ２の互いに向き合う端面同士を突き合わせ又は調心等を行う。
さらに、光ファイバを回転して調心が必要な偏波面保持光ファイバを扱う融着接続では、回転機構がついている。
また、接続される２本の光ファイバが互いに異外径や異径コアなどの場合、融着接続の際や後に、接続された光ファイバを移動及び／又は放電電極を移動機構がついている融着接続機もある。
【００１９】
画像記憶部１８は、一又は複数の撮像画像を記憶する記憶手段である。また、融着接続機１００の図示しない操作部から制御部１を介して、画像記憶部１８から一又は複数の撮像画像を記憶又は読み出しすることができ、モニタ１５に表示できる。
【００２０】
撮像部１４は、図２（ａ）、図２（ｂ）に示すように、融着接続を行う上記整列台に載置された光ファイバＢ１、Ｂ２の接続部分を、Ｘ軸方向から撮像するＸ軸方向カメラ（ＣＣＤ（Charge Coupled Device）カメラやＣ−ＭＯＳ（Complementary Metal Oxide Semiconductor）カメラ等）１４ａと、Ｙ軸方向から撮像するＹ軸方向カメラ１４ｂとを備える。Ｘ軸方向カメラ１４ａ、Ｙ軸方向カメラ１４ｂは、図２（ａ）に示すように、光ファイバＢ１、Ｂ２の融着接続個所を挟んで、それぞれ、Ｘ軸上、Ｙ軸上で互いに向き合う位置に配置される。
【００２１】
照明部１３は、図２（ａ）、図２（ｂ）に示すように、Ｘ軸方向照明１３ａ、Ｙ軸方向照明１３ｂを備え、融着接続を行う光ファイバＢ１、Ｂ２の接続部分を二方向（Ｘ軸方向、Ｙ軸方向）から照明する。
【００２２】
モニタ１５は、ＬＣＤ（Liquid Crystal Diplay）等の表示装置を備え、画像処理部１ａからの指示に応じて画像記憶部１８に記憶された各種画像（Ｘ軸方向画像、Ｙ軸方向画像、抽出画像、倍率変更後画像等）を表示する。
また、モニタ１５は、ＬＣＤ等の画面を触れると所定の動作が起動する、及び／又は、各種操作ができるタッチパネル式であってもよい。
【００２３】
制御部１は、図示しないＣＰＵ（Central Perocessing Unit）や、あるいは、ＲＯＭ（Read Only Memory）、ＲＡＭ（Random Access Memory）を備える。この制御部１に格納された各種プログラムを実行することにより、融着接続機１００の各部を統括的に制御する。特に、制御部１は、融着接続機１００の各部を制御して、各種（単心や多心、モードや希土類ドープ種と量、コア径等）光ファイバＢ１、Ｂ２に対する融着接続処理を行う。
【００２４】
制御部１は、各種画像処理（表示処理を含む）を行う画像処理部１ａを備える。特に、画像処理部１ａは、融着接続処理の際の操作ユニット１７、及び／又は、モニタ１５（タッチパネル式など）からの各種指示入力（画像表示に係る指定・指示）に応じてモニタ１５に対する各種画像表示処理を行う。
ここで、画像処理部１ａは、上記制御部に格納されたプログラムが有する機能を表すものであってもよいし、ハードウェアであってもよい。
【００２５】
画像処理部１ａは、融着接続処理の際に、操作ユニット１７からの指示入力に応じて、撮像部１４により撮像された光ファイバＢ１、Ｂ２に対する融着接続個所を表す画像（Ｘ軸方向画像、Ｙ軸方向画像）を画像記憶部１８に記憶する。そして、画像処理部１ａは、上記第１記憶領域２１に記憶したＸ軸方向画像、Ｙ軸方向画像を、例えば、図３に例示するように、Ｘ軸方向画像表示窓Ｗｘ、Ｙ軸方向画像表示窓Ｗｙ内に当該各窓の大きさ（操作ユニット１７を介して指定された、或いは、デフォルトで予め指定された大きさで、互いに異なっていてもよい）に合わせて表示する。また、表示された窓の大きさを、さらに、拡大、又は、縮小することができる。
【００２６】
ここで、図３の例示においては、Ｘ軸方向画像表示窓Ｗｘが、Ｙ軸方向画像表示窓Ｗｙより大きく表示されている。また、Ｘ軸方向画像表示窓Ｗｘ、Ｙ軸方向画像表示窓Ｗｙには、それぞれ三組の光ファイバ端部Ｆの画像が表示されている。また、図３では、Ｘ軸方向画像表示窓Ｗｘ、Ｙ軸方向画像表示窓Ｗｙともに、１本のリボン型光ファイバの心数全て（全数）が表示されるのではなく、例えば、８心のうち任意の１本又は数本を表示するものである。もちろん、８心全数を表示できるものであり、後述のとおり、任意の光ファイバを選択し拡大もしくは縮小、及び／又は、任意の位置に表示等ができるものである。
【００２７】
画像処理部１ａは、抽出表示用の画像領域が操作ユニット１７を介して指定された場合には、図４に例示するように、当該指定された画像領域（図中符号Ａ１に示す領域）を、Ｘ軸方向画像、Ｙ軸方向画像から抽出し、当該抽出した抽出画像を画像記憶部１８に記憶すると共に、当該抽出画像を、抽出画像表示窓Ｗｓ内に当該窓の大きさ（操作ユニット１７を介して指定された、或いは、デフォルトで予め指定された大きさ）に合わせて表示する。この場合、画像処理部１ａは、抽出画像表示窓Ｗｓを、モニタ１５に現在表示中のＸ軸方向画像表示窓ＷｘやＹ軸方向画像表示窓Ｗｙの前面に重なるように表示する。ここで、図４の例示においては、Ｘ軸方向画像表示窓Ｗｘ、Ｙ軸方向画像表示窓Ｗｙには、それぞれ三組の光ファイバ端部Ｆの画像が表示されている。
【００２８】
画像処理部１ａは、Ｘ軸方向画像、Ｙ軸方向画像に対する表示倍率の変更指示（ファイバ長手方向に垂直な方向に対する表示倍率の変更指示であり、ファイバ長手方向であるＺ軸方向の表示倍率は不変）が操作ユニット１７を介して入力されると、Ｘ軸方向画像、Ｙ軸方向画像から表示倍率変更用の画像を抽出し、当該抽出した画像を当該入力された倍率に基づいて伸張（若しくは圧縮）し、当該伸張（若しくは圧縮）後（表示倍率変更後）の画像を、図５に示すように、倍率変更後画像表示窓Ｗｍ内に表示する（倍率変更後画像表示窓Ｗｍの窓の大きさは、操作ユニット１７を介して指定された、或いは、デフォルトで予め指定された大きさである）。この際、Ｘ軸方向画像、Ｙ軸方向画像のうち現在表示中の倍率変更後画像に対応する画像領域が、網掛け（或いは、色付け）や枠等（図中符号Ｂを参照）により明示される（図中符号Ａ２参照）。この場合、画像処理部１ａは、倍率変更後画像表示窓Ｗｍを、現在モニタ１５に表示されているＸ軸方向画像表示窓ＷｘやＹ軸方向画像表示窓Ｗｙ（若しくは、抽出画像表示窓Ｗｓ）の前面に重なるように表示させることも可能である。ここで、Ｘ軸方向画像表示窓Ｗｘには、三組の光ファイバ端部Ｆの画像が表示されている。
【００２９】
画像処理部１ａは、表示倍率の変更指示が操作ユニット１７を介して入力されると、操作ユニット１７を介して指定入力された画像領域か、或いは、予めデフォルト設定された所定個所（例えば、融着接続を行う光ファイバ端部Ｆの接続個所）が含まれた画像領域の画像を、Ｘ軸方向画像、Ｙ軸方向画像から抽出する。
【００３０】
さらに、例えば、図６（Ａ）では、融着接続機の所定位置にある４心の光ファイバをＸ，Ｙ方向から観察したものであり、Ｘ方向の左右８心並びにＸ方向の左右８心（全１６心）が見えるように表示したものである。
【００３１】
さらに、図６（Ａ）において、例えば、画面に表示した“Ｘ方向”の文字に触れる又は所定のキーを押す等すると、図６（Ｂ）のように、Ｘ方向の光ファイバ端部が拡大され、融着接続機へのセット時の光ファイバの左右を判別して、Ｘ左側とＸ右側とに分けて表示したものである。
【００３２】
さらに、図６（Ａ）において、例えば、画面に表示した印（図６（Ｃ）では破線の丸）に触れる又はカーソルをあわせて所定のキーを押す等すると、図６（Ｄ）のように、選択した一対のＸ方向の光ファイバ端部が拡大して表示されるものであり、さらに、拡大や縮小、あるいは、１本のファイバを選択して拡大や縮小できる。
【００３３】
さらに、図６（Ｄ）ではＸ方向の光ファイバ端部を表示したが、例えば、Ｘ−Ｌ３とＹ-Ｌ３とを上下又は左右に、Ｘ−Ｌ４とＹ-Ｒ４とを左右又は上下に、のように任意の光ファイバ端部を選択して画像を隣り合わせに並べることができる。
【００３４】
また、光ファイバ端部の一又は複数の画像は、任意の角度に回転が可能である。また、モニタも作業者側に反転できるようになっており、モニタの反転方向にあわせて、画像を手動もしくは自動で見易い方向に回転及び／又は配置変えするようにしてよい。
【００３５】
画像処理部１ａは、表示倍率の変更指示が操作ユニット１７を介して入力されると、操作ユニット１７を介して指定入力された画像領域か、或いは、予めデフォルト設定された所定個所（例えば、融着接続を行う光ファイバ端部Ｆの接続個所）が含まれた画像領域の画像を、Ｘ軸方向画像、Ｙ軸方向画像から抽出する。
【００３６】
画像処理部１ａは、Ｘ軸方向画像表示窓Ｗｘ、Ｙ軸方向画像表示窓Ｗｙ、抽出画像表示窓Ｗｓ、倍率変更後画像表示窓Ｗｍの各表示窓の大きさに対する変更指示が操作ユニット１７を介して入力された場合には、Ｘ軸方向画像、Ｙ軸方向画像、抽出画像、倍率変更後画像を、当該変更後のＸ軸方向画像表示窓Ｗｘ、Ｙ軸方向画像表示窓Ｗｙ、抽出画像表示窓Ｗｓ、倍率変更後画像表示窓Ｗｍ内に当該各窓の大きさに合わせて表示する。
【００３７】
また、Ｘ軸方向画像表示窓Ｗｘ、Ｙ軸方向画像表示窓Ｗｙ、抽出画像表示窓Ｗｓ、倍率変更後画像表示窓Ｗｍは、操作ユニット１７を介して指定された（或いは、デフォルトで予め指定された）表示位置に表示されるが、当該表示位置は、操作ユニット１７からの指示入力に応じて、自由に変更できる。例えば、表示された光ファイバ端部Ｆの大きさを、さらに、拡大、又は、縮小することができる。
【００３８】
画像処理部１ａは、Ｘ軸方向画像表示窓ＷｘやＹ軸方向画像表示窓Ｗｙ内に、Ｘ軸方向、Ｙ軸方向、Ｚ軸方向に対する縮尺表示も可能である。
【００３９】
画像記憶部１８は、上記Ｘ軸方向画像、Ｙ軸方向画像を記憶する第１記憶領域２１と、上記抽出用画像を記憶する第２記憶領域２２とを有する。
【００４０】
電源ユニット１６は、外部電源から供給される電圧を融着接続機１００の各部に供給するための装置である。
【００４１】
操作ユニット１７は、融着接続機１００を作動操作するための各種操作ボタンを備える。操作ユニット１７は、画像処理部１ａに対し、モニタ１５に表示するＸ軸方向画像表示窓Ｗｘ、Ｙ軸方向画像表示窓Ｗｙの全表示画面内における配置、何れの画像表示窓を表示するかの選択、表示スケール等の指定、拡大表示用に抽出する画像領域の指定、倍率の指定等を行うための各種操作ボタンを備える。操作ユニット１７を介して入力された上記各種指示信号は、制御部１に出力される。ここで、上記操作ボタンは、各種ファンクションキー（カーソルキーや実行キー等）を含むキーボードであってもよいし、モニタ１５に貼付けされたタッチパネルやマウス等のポインティングデバイスであってもよい。
【００４２】
以上説明した融着接続機１００によれば、Ｘ軸方向画像表示窓Ｗｘ、Ｙ軸方向画像表示窓Ｗｙにそれぞれ表示されるＸ軸方向画像、Ｙ軸方向画像の各表示倍率や、Ｘ軸方向画像表示窓Ｗｘ、Ｙ軸方向画像表示窓Ｗｙの各窓の大きさが、自由に設定可能である。また、表示倍率変更した倍率変更後画像は、倍率変更後画像表示窓Ｗｍに表示できる。また、特定の画像領域のみを抽出して抽出画像表示窓Ｗｓに表示できる。
このため、光ファイバ端部Ｆの融着接続個所に対する詳細な観察が容易に行えるので、より正確且つ容易な融着接続作業が可能な、低損失で信頼性の高い光ファイバの融着接続機が提供できる。  
【００４３】
また、図２（ａ）、図２（ｂ）において、撮像部１４と照明部１３が２組あるが、撮像部１４及び／又は照明部１３が３つ以上あってよい。あるいは、一方向照明にて照らし、一のカメラで撮像する、撮像部１４と照明部１３が１組の融着接続機であってよい。
【００４４】
また、融着接続機に備えるＩ／Ｏ（入出力）インターフェースを介して、データをやりとりすることができ、例えば、バージョンアップやあらたにインストールしたプログラムに基づいて、画像処理や融着接続処理を変更や更新が行えるようにすることができる。
【００４５】
なお、融着接続機には、融着接続部を保護するための、再被覆（リコート）装置や、保護管を処理する装置が付いている。又は、融着接続機にコネクタ等で接続できるようになっていてよい。
【００４６】
さらに、融着接続機には、RS-232Cやビデオ端子等で外部モニタに出力できるようになっていてよい。
【００４７】
なお、本実施の形態における記述は、本発明に係る融着接続機の一例を示すものであり、これに限定されるものではない。本実施の形態における融着接続機１００の細部構成及び詳細な動作等に関しては、本発明の趣旨を逸脱しない範囲で適宜変更可能である。
【図面の簡単な説明】
【００４８】
【図１】本発明を適用した融着接続機の制御系の概略構成を説明するための図である。
【図２】（ａ）は、図１に示す放電ユニット内の要部構成を、融着接続する光ファイバのファイバ長手方向に垂直な方向から説明するための図であり、（ｂ）は、図１に示す放電ユニット内の要部構成を、融着接続する光ファイバのファイバ長手方向から説明するための図である。
【図３】本発明を適用した融着接続個所の表示例を示す図である。
【図４】本発明を適用した融着接続個所の表示例を示す図である。
【図５】本発明を適用した融着接続個所の表示例を示す図である。
【図６】本発明を適用した融着接続個所のその他の表示例を示す図である。
【図７】従来の融着接続個所の表示例を示す図である。
【符号の説明】
【００４９】
１  制御部
１００  融着接続機
１１  放電ユニット
１１ａ、１１ｂ  電極
１２  駆動機構
１３  照明部
１３ａ  Ｘ軸方向照明
１３ｂ  Ｙ軸方向照明
１４  撮像部
１４ａ  Ｘ軸方向カメラ
１４ｂ  Ｙ軸方向カメラ
１５  モニタ
１６  電源ユニット
１７  操作ユニット
１８  画像記憶部
１ａ  画像処理部
２１  第１記憶領域
２２  第２記憶領域
２３  第３記憶領域
Ｂ１、Ｂ２  光ファイバ
Ｆ  光ファイバ端部
Ｗ１  全表示画面
Ｗｍ  倍率変更後画像表示窓
Ｗｓ  抽出画像表示窓
Ｗｘ  Ｘ軸方向画像表示窓
Ｗｙ  Ｙ軸方向画像表示窓
【図１】
2006047817.tif 000003
【図２】
2006047817.tif 000004
【図３】
2006047817.tif 000005
【図４】
2006047817.tif 000006
【図５】
2006047817.tif 000007
【図６】
2006047817.tif 000008
【図７】
2006047817.tif 000009